(57)【要約】【課題】円周方向に大径部及び小径部を有する異形スプロケットであって、大径部及び小径部の位置が判別できる異形スプロケットを提供する。【解決手段】異形スプロケットは、軸孔１０をもつ環状のボス部とこのボス部１の外周側に一体的に形成された環状のリム部３と、このリム部３の外周側に形成された歯部４とからなる。大径部と小径部判別のために大径部及び小径部に位置するリム部３に、大径部印５及び小径部印６を、大きい凸部または凹部印及び小さい凸部または凹部印として刻す。これにより大径部、小径部の判別が容易にできる。【選択図】図１
2007285411.tif 000002
【特許請求の範囲】
【請求項１】
円周方向に大径部及び小径部を有する異形スプロケットであって、
前記大径部及び前記小径部に位置する前記スプロケットの側面上の歯先あるいは歯底と該スプロケットの中心とを結ぶ線上に位置する大径部印及び小径部印を備えることを特徴とする異形スプロケット。
【請求項２】
前記大径部印及び前記小径部印は、大きい凹部あるいは大きい凸部及び小さい凹部あるいは小さい凸部である請求項１に記載の異形スプロケット。
【請求項３】
前記異形スプロケットは鋳造されたものである請求項２に記載の異形スプロケット。
【請求項４】
前記異形スプロケットは、粉末冶金で製造されたものである請求項２に記載の異形スプロケット。
【請求項５】
前記異形スプロケットは前記大径部及び前記小径部をそれぞれ２箇所有する楕円形状である請求項１〜４に記載の異形スプロケット。
【請求項６】
前記異形スプロケットは前記大径部及び前記小径部をそれぞれ３箇所有する三角形状である請求項１〜４に記載の異形スプロケット。
【請求項７】
前記異形スプロケットは前記大径部及び前記小径部をそれぞれ５箇所有する五角形状である請求項１〜４に記載の異形スプロケット。
【請求項８】
前記異形スプロケットは、クランクシャフト駆動用である請求項１〜７に記載の異形スプロケット。
【請求項９】
前記異形スプロケットは、カムシャフト駆動用である請求項１〜７に記載の異形スプロケット。
【請求項１０】
前記異形スプロケットは、タイミングベルト駆動用である請求項１〜７に記載の異形スプロケット。
【発明の詳細な説明】
【技術分野】
【０００１】
本発明は内燃機関のクランクシャフトやカムシャフトあるいはタイミングベルト等に使用される径方向の長さが異なる大径部及び小径部を有する異形スプロケットに関するものである。
【背景技術】
【０００２】
スプロケットは、チェーンまたはベルトにより駆動され、内燃機関のクランクシャフト駆動用やカムシャフト駆動用あるいはタイミングベルト駆動用等に用いられている。
【０００３】
スプロケットは一般的に径の等しい円形をしているが、チェーン、またはベルトの張力を低減したり長寿命化を図るため、あるいは発生する騒音を低減するために、円形でない円周方向に大径部及び小径部を有する径の異なる異形のスプロケットが使用されることがある。一般的には３気筒エンジンの場合には三角形状のもの、４気筒エンジンの場合には楕円形状のもの、５気筒エンジンの場合には５角形形状のものが採用される。前記円周方向に大径部及び小径部を有するスプロケットは最も径の大きい部分（以下大径部）と径の最も小さい部分（以下小径部）を備えている。これら大径部と小径部の差は、半径で最大２ｍｍ程度である。
【発明の開示】
【発明が解決しようとする課題】
【０００４】
円周方向に大径部及び小径部を有するスプロケットを検査する場合、任意の歯底部に円形のローラーをセットし、対角に位置する歯底部にも円形のローラーをセットし、この両者のローラー間距離を測り（このローラー間距離のことをオーバピン径という）、その距離よりピッチを計算して求めることがある。ローラーは玉としてもよい。
【０００５】
通常の円形スプロケットにおいてはオーバピン径計測時、対角の位置のみを決めれば、即座にオーバピン径は計測でき、かつその理論値はどこを測定しても同一である。ところが円周方向に大径部及び小径部を有する異形スプロケットの場合、オーバピン径は計測する部分により異なる。そのため、円周方向に大径部及び小径部を有する異形スプロケットの場合、オーバピン計測時にどの部分を計測しているのかが判別困難で、誤計測が発生する。誤計測すると理論値との差が大きくなり、再度計測による時間ロスあるいは正規品として使用できないという問題がある。
【０００６】
本発明は内燃機関のクランクシャフトやカムシャフトあるいはタイミングベルトを駆動する等の為の異形スプロケットであって、大径部及び小径部の位置が分かる異形スプロケットを提供することを目的とするものである。
【課題を解決するための手段】
【０００７】
本発明の異形スプロケットは、円周方向に大径部及び小径部を有する異形スプロケットであって、該大径部及び該小径部に位置する該スプロケットの側面上の歯先あるいは歯底と該スプロケットの中心とを結ぶ線上に位置する大径部印及び小径部印を備えることを特徴とする。
【０００８】
本発明の異形スプロケットではその側面の大形部及び小径部に位置する所に大径部印及び小径部印が付されているため、径の測定位置が明確となり径の測定が容易となる。また、異形スプロケットの組付けが容易に正確にできる利点がある。
【０００９】
大径部印及び小径部印は、大きい凹部あるいは大きい凸部及び小さい凹部あるいは小さい凸部とすることができる。凸部とか凹部は形状が単純で異形スプロケットの側面への印の形成が容易となる。
【００１０】
本発明の異形スプロケットは鋳造あるいは粉末冶金により製作することができる。この場合大径部印及び小径部印は成形用の鋳型あるいは押圧型に予め凸部、凹部を設けることにより大径部印及び小径部印の付いた異形スプロケットが得られる。
【００１１】
本発明の異形スプロケットは、大径部及び小径部をそれぞれ２箇所有する楕円形状、大径部及び小径部をそれぞれ３箇所有する三角形状、大径部及び小径部をそれぞれ５箇所有する五角形状とすることができる。また、本発明の異形スプロケットは内燃機関用スプロケットとすることができる。具体的には、クランクシャフト駆動用、カムシャフト駆動用、タイミングベルト駆動用の異形スプロケットとすることができる。
【００１２】
大径部印及び小径部印は、必ずしも大きい凸部あるいは凹部印、小さい凸部あるいは凹部印に限られるものではなく、例えば大や小の文字や、大きいあるいは小さい○や×の記号などとしてもよい。
【発明の効果】
【００１３】
大径部印及び小径部印を備えることにより、異形スプロケットの円周方向における大径部及び小径部を一目で判別できる。このためオーバピン径計測時に計測場所を、正確にかつ迅速にきめることができる。また、異形スプロケットの組付け時における組付け方向が容易となる。
【発明を実施するための最良の形態】
【００１４】
本発明を実施するための最良の形態を以下に示す。
【実施例１】
【００１５】
本発明の実施例１の異形スプロケットを図１に示す。この異形スプロケットは、軸孔１０をもつ環状のボス部１とこのボス部１の外周側に一体的に形成された環状のリム部３と、このリム部３の外周側に等間隔に３０個形成された断面山状の歯部４とからなる。３０個の歯部４は、大径部となる最も遠心方向に突出した第１番目の歯部４の１から周方向に第２番目、第３番目と順次突出量が少なくなり、第５番目の歯部４の６が最も突出量が少なくなる。第７番目、第８番目と順次突出量が多くなり、第１１番目の歯部４の１１が第１番目の歯部４の１と同じ最も突出量の多いものとなる。この異形スプロケットは、第１番目の歯部４の１、第１１番目の歯部４の１１、第２１番目の歯部４の２１が最も遠心方向に突出量の大きい歯部となり、第６番目の歯部４の６、第１６番目の歯部４の１６、第２６番目の歯部４の２６が最も突出量の少ない歯部となる僅かに三角形状の異形となっている。
【００１６】
この異形スプロケットのリム部３の一端側の端面の、第１番目の歯部４の１、第１１番目の歯部４の１１、第２１番目の歯部４の２１の最も突出した頂点と軸孔１０の中心とを結ぶ線上に径方向に長く、周方向に短い凹部からなる大径部印５がそれぞれ設けられている。また、同じ端面の、最も突出量が少ない第６番目の歯部４の６、第１６番目の歯部４の１６、第２６番目の歯部４の２６の頂点と軸孔１０の中心とを結ぶ線上に小さい丸い凹部からなる小径部印６がそれぞれ設けられている。なお、大径部印５及び小径部印６を含む部分の断面をそれぞれ図２，図３に示す。これら大径部印５及び小径部印６によりそれらの円周方向側にある歯部が最も遠心方向に突出量が多い歯部４の１、歯部４の１１、歯部４の２１であることが一見して明らかになる。
【００１７】
この異形スプロケットは、鋳鉄製である。このスプロケットは、その鋳型の型面に大径部印５、小径部印６の形状と型対象の、径方向に長く周方向に短い凸部及び小さい円形の凸部をもつ。この鋳型を用いることにより、本実施例のスプロケットを製造することができる。
【００１８】
異形スプロケットの形状が設計寸法通り製作されているか検査する時、大径部に位置する前記異形スプロケットの歯部４の１の先端と軸孔１０の中心までの距離を測定し、設計寸法との比較により検査することができる。同様に小径部に位置する前記異形スプロケットの歯部４の６の先端と軸孔１０の中心までの距離を測定し、設計寸法との比較により検査することができる。また大径部、小径部以外の歯部についても、同様の方法で検査することができる。
【００１９】
従来は印がないため、大径部と小径部歯部の突出量の差がわずかな場合、大径部と小径部の判別が困難で誤計測や、判別のため、あるいは誤計測時の再測定による時間ロスが発生していた。
【００２０】
本発明である大径部印及び小径部印を備えることにより大径部、小径部を容易に判別でき誤計測や、判別のため、あるいは誤計測時の再測定による時間ロスが無くなる。かつコストダウにもなる。さらに本発明は大径部印、小径部印を鋳型の型面に刻むため、製造工程が増えることもない。
【００２１】
また、異形スプロケットをクランクシャフトに挿通固定する時、大径部印及び小径部印を利用しタイミング位置決めが容易に正確にできる。
【実施例２】
【００２２】
本発明の実施例２の異形スプロケットを図４に示す。この異形スプロケットは、軸孔２０をもつ環状のボス部１１とこのボス部１１の外周側に一体的に形成された環状のリム部１３と、このリム部１３の外周側に等間隔に３０個形成された断面山状の歯部１４とからなる。３０個の歯部１４は、大径部となる最も遠心方向に突出した第１番目の歯部１４の１から周方向に第２番目、第３番目と順次突出量が少なくなり、第８番目と第９番目の歯部１４の８と１４の９が最も突出量が少なくなる。第１０番目、第１１番目と順次突出量が多くなり、第１６番目の歯部１４の１６が第１番目の歯部１４の１と同じ最も突出量の多いものとなる。この異形スプロケットは、第１番目の歯部１４の１、第１６番目の歯部１４の１６が最も遠心方向に突出量の大きい歯部となり、第８番目と第９番目の歯部１４の８と１４の９、第２３番目と第２４番目の歯部１４の２３と１４の２４が最も突出量の少ない歯部となる僅かに楕円形状の異形となっている。
【００２３】
この異形スプロケットのリム部１３の一端側の端面の、第１番目の歯部１４の１、第１６番目の歯部１４の１６の最も突出した頂点と軸孔２０の中心とを結ぶ線上に径方向に長く、周方向に短い凸部からなる大径部印１５がそれぞれ設けられている。また、同じ端面の、最も突出量が少ない第８番目と第９番目の歯部の間の歯底部１１、第２３番目と第２４番目の歯部の間の歯底部１１と軸孔２０の中心とを結ぶ線上に小さい丸い凸部からなる小径部印１６がそれぞれ設けられている。なお、大径部印１５及び小径部印１６を含む部分の断面をそれぞれ図５、図６に示す。これら大径部印１５及び小径部印１６によりそれらの円周方向側にある歯部が最も遠心方向に突出量が多い歯部１４の１、歯部４の１６であることが一見して明らかになる。
【００２４】
この異形スプロケットは、焼結高強度鋼を粉末冶金によって製作する。このスプロケットは、その押圧型の型面に大径部印１５、小径部印１６の形状と型対象の、径方向に長く周方向に短い凹部及び小さい円形の凹部をもつ。この型を用いることにより、本実施例のスプロケットを製造することができる。  
【００２５】
異形スプロケットの形状が設計寸法通り製作されているか検査する時、大径部に位置する前記異形スプロケットの歯先１横の歯底部１１、つまり歯部１４の１と歯部１４の２の間の歯底部１１に円形のローラーをセットし、異形スプロケット中心とを結ぶ線上に位置する対角の歯底部１１、つまり歯部１４の１６と歯部１４の１７の間の歯底部１１にも円形のローラーをセットし、以下オーバピン径を測り、その距離よりピッチを計算して求め、設計寸法通り製作されているか検査する。また大径部、小径部以外の歯部についても、同様の方法で検査することができる。
【００２６】
従来は印がないため、大径部と小径部歯部の突出量の差がわずかな場合、大径部と小径部の判別が困難で誤計測や、判別のため、あるいは誤計測時の再測定による時間ロスが発生していた。
【００２７】
本発明である大径部印及び小径部印を備えることにより大径部、小径部を容易に判別でき誤計測や、判別のため、あるいは誤計測時の再測定による時間ロスが無くなる。かつコストダウにもなる。さらに本発明は大径部印、小径部印を押圧型の型面に刻むため、製造工程が増えることもない。
【００２８】
また、異形スプロケットをカムシャフトに挿通固定する時、大径部印及び小径部印を利用しタイミング位置決めが容易に正確にできる。
【図面の簡単な説明】
【００２９】
【図１】円周方向に大径部及び小径部を有する異形スプロケットで、円周方向に大径部及び小径部をそれぞれ３箇所有する三角形状のスプロケットの正面図である。
【図２】図１のＡ線断面図で大径部印凹である。
【図３】図１のＢ線断面図で小径部印凹である。
【図４】円周方向に大径部及び小径部を有する異形スプロケットで、円周方向に大径部及び小径部をそれぞれ２箇所有する楕円形状のスプロケットの正面図である。
【図５】図４のＡ線断面図で大径部印凸である。
【図６】図４のＢ線断面図で小径部印凸である。
【符号の説明】
【００３０】
１：ボス部      ３：リム部      ４：歯部    ５：大径部印    ６：小径部印    １０：軸孔    １１：歯底部
２０：ボス部      １３：リム部      １４：歯部    １５：大径部印    １６：小径部印
【図１】
2007285411.tif 000003
【図２】
2007285411.tif 000004
【図３】
2007285411.tif 000005
【図４】
2007285411.tif 000006
【図５】
2007285411.tif 000007
【図６】
2007285411.tif 000008